【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
低Ｔｇブロックおよび高Ｔｇブロックを含む少なくとも１つのブロックコポリマーを含む共有結合によって架橋されたポリマーの領域を含む医療デバイス。
【請求項２】
複数の架橋されたポリマーの領域を含む、請求項１に記載の医療デバイス。
【請求項３】
前記ブロックコポリマーが１つの低Ｔｇ中央ブロックおよび複数の高Ｔｇ末端ブロックを含む複数の枝を有するブロックコポリマー（ｍｕｌｔｉａｒｍ  ｂｌｏｃｋ  ｃｏｐｏｌｙｍｅｒ）であり、該低Ｔｇ中央ブロックが、ポリオレフィン、ポリアクリレートおよびポリシロキサンブロックから選択され、該高Ｔｇ末端ブロックが、ポリ（ビニル芳香族）、ポリアクリレートブロック、およびポリメタクリレートブロックから選択される、請求項１に記載の医療デバイス。
【請求項４】
前記低Ｔｇ中央ブロックが、エチレン、ブチレン、イソブチレン、ブタジエン、イソプレン、およびこれらの組合せから選択されるモノマーを含むポリアルケンブロックであり、前記高Ｔｇ末端ブロックが、スチレン、スチレンスルホン酸およびその塩、ヒドロキシスチレン、アルキル置換スチレン、エーテル置換スチレン、エステル置換スチレン、アミノ置換スチレン、シリル置換スチレン、ビニルピリジン、アルキル置換ビニルピリジン、およびこれらの組合せから選択される芳香族モノマーを含むポリ（ビニル芳香族）ブロックである、請求項３に記載の医療デバイス。
【請求項５】
前記ブロックコポリマーの分子が、それ自体に、補完的ポリマーに、またはそれらの両方に共有結合によって架橋されており、該ブロックコポリマーが、ジエンモノマー、またはエチレン、ブチレンおよびこれらの組合せから選択されるアルケンモノマーを含む、請求項１に記載の医療デバイス。
【請求項６】
前記ブロックコポリマーの前記分子の炭素原子が互いに共有結合によって結合されている、請求項５に記載の医療デバイス。
【請求項７】
前記ブロックコポリマーが、不飽和基、アミン基、ヒドロキシ基、チオール基およびこれらの組合せから選択される反応性基を含む多官能性架橋剤を介して共有結合によって架橋されている、請求項５に記載の医療デバイス。
【請求項８】
前記ブロックコポリマーが、その長さに沿って、その末端に、またはそれらの両方に位置する反応性基によって架橋されており、該反応性基が、シラン基、無水物基、エポキシ基、およびこれらの組合せから選択される、請求項５に記載の医療デバイス。
【請求項９】
前記反応性基がシラン基であり、前記ポリマーの領域が水分への曝露時に架橋される、請求項８に記載の医療デバイス。
【請求項１０】
前記反応性基が無水物基であり、前記ポリマーの領域が、アミン基、ヒドロキシ基およびこれらの組合せから選択される反応性種を含む多官能性架橋剤を介して架橋されている、請求項８に記載の医療デバイス。
【請求項１１】
前記ブロックコポリマーが、エネルギー、化学物質、およびこれらの組合せから選択される硬化因子への曝露時に架橋される、請求項５に記載の医療デバイス。
【請求項１２】
前記ポリマーの領域が医療デバイス全体にまたは医療用デバイスの全構成要素に相当する、請求項１に記載の医療デバイス。
【請求項１３】
前記ポリマーの領域が下層となる基材を少なくとも部分的に覆う層の形態である、請求項１に記載の医療デバイス。
【請求項１４】
治療剤が前記ポリマーの領域の上に、該ポリマーの領域の内部に、または該ポリマーの領域の下に提供され、該治療剤が、抗増殖剤、血管細胞増殖促進剤、抗菌剤、鎮痛剤、免疫抑制剤、抗炎症剤、抗痙攣剤、α遮断剤、カルシウムチャンネル遮断剤、β作動薬、抗新生物剤（ｎｅｏｐｌａｓｔｉｃ  ａｇｅｎｔ）、細胞増殖抑制剤、およびこれらの組合せから選択される、請求項１に記載の医療デバイス。
【請求項１５】
前記医療デバイスが、膝関節、腰関節、椎間板および脊髄核から選択される関節プロテーゼ、血管グラフト、人工靭帯、および腹帯、ならびに針、縫合糸、ガイドワイヤー、カテーテル、バルーン、およびバルーンカテーテルから選択される組織を通過するデバイスから選択される、請求項１に記載の医療デバイス。
【手続補正２】
【補正対象書類名】明細書
【補正対象項目名】０００５
【補正方法】変更
【補正の内容】
【０００５】
本発明は、例えば、以下を提供する：
（項目１）
低Ｔｇブロックおよび高Ｔｇブロックを含む少なくとも１つのブロックコポリマーを含む共有結合によって架橋されたポリマーの領域を含む医療デバイス。
（項目２）
複数の架橋されたポリマーの領域を含む、項目１に記載の医療デバイス。
（項目３）
上記ブロックコポリマーが１つの低Ｔｇ中央ブロックおよび複数の高Ｔｇ末端ブロックを含む複数の枝を有するブロックコポリマー（ｍｕｌｔｉａｒｍ  ｂｌｏｃｋ  ｃｏｐｏｌｙｍｅｒ）である、項目１に記載の医療デバイス。
（項目４）
上記低Ｔｇ中央ブロックが、ポリオレフィン、ポリアクリレートおよびポリシロキサンブロックから選択され、上記高Ｔｇ末端ブロックが、ポリ（ビニル芳香族）、ポリアクリレートブロック、およびポリメタクリレートブロックから選択される、項目３に記載の医療デバイス。
（項目５）
上記低Ｔｇ中央ブロックがポリアルケンブロックであり、上記高Ｔｇ末端ブロックがポリ（ビニル芳香族）ブロックである、項目３に記載の医療デバイス。
（項目６）
上記ポリアルケンブロックが、エチレン、ブチレン、イソブチレン、ブタジエン、イソプレン、およびこれらの組合せから選択されるモノマーを含む、項目５に記載の医療デバイス。
（項目７）
上記ポリビニル芳香族ブロックが、スチレン、スチレンスルホン酸およびその塩、ヒドロキシスチレン、アルキル置換スチレン、エーテル置換スチレン、エステル置換スチレン、アミノ置換スチレン、シリル置換スチレン、ビニルピリジン、アルキル置換ビニルピリジン、およびこれらの組合せから選択される芳香族モノマーを含む、項目５に記載の医療デバイス。
（項目８）
上記ブロックコポリマーの分子が、それ自体に、補完的ポリマーに、またはそれらの両方に共有結合によって架橋されている、項目１に記載の医療デバイス。
（項目９）
上記ブロックコポリマーの上記分子の炭素原子が互いに共有結合によって結合されている、項目８に記載の医療デバイス。
（項目１０）
上記ブロックコポリマーが、エチレン、ブチレンおよびこれらの組合せから選択されるアルケンモノマーを含む、項目８に記載の医療デバイス。
（項目１１）
上記ブロックコポリマーがジエンモノマーを含む、項目８に記載の医療デバイス。
（項目１２）
上記ブロックコポリマーが多官能性架橋剤を介して共有結合によって架橋されている、項目８に記載の医療デバイス。
（項目１３）
上記多官能性架橋剤が、不飽和基、アミン基、ヒドロキシ基、チオール基およびこれらの組合せから選択される反応性基を含む、項目１２に記載の医療デバイス。
（項目１４）
上記ブロックコポリマーが、その長さに沿って、その末端に、またはそれらの両方に位置する反応性基によって架橋されている、項目８に記載の医療デバイス。
（項目１５）
上記反応性基が、シラン基、無水物基、エポキシ基、およびこれらの組合せから選択される、項目１４に記載の医療デバイス。
（項目１６）
上記反応性基がシラン基であり、上記ポリマーの領域が水分への曝露時に架橋される、項目１４に記載の医療デバイス。
（項目１７）
上記反応性基が無水物基であり、上記ポリマーの領域が、アミン基、ヒドロキシ基およびこれらの組合せから選択される反応性種を含む多官能性架橋剤を介して架橋されている、項目１４に記載の医療デバイス。
（項目１８）
上記ブロックコポリマーが、エネルギー、化学物質、およびこれらの組合せから選択される硬化因子への曝露時に架橋される、項目８に記載の医療デバイス。
（項目１９）
上記共有結合によって架橋されたポリマーの領域が共有結合によって架橋された補完的ポリマーを含む、項目１に記載の医療デバイス。
（項目２０）
上記補完的ポリマーの分子が、それ自体に、上記ブロックコポリマーに、またはそれらの両方に共有結合によって架橋されている、項目１９に記載の医療デバイス。
（項目２１）
上記ポリマーの領域が医療デバイス全体にまたは医療用デバイスの全構成要素に相当する、項目１に記載の医療デバイス。
（項目２２）
上記ポリマーの領域が下層となる基材を少なくとも部分的に覆う層の形態である、項目１に記載の医療デバイス。
（項目２３）
治療剤が上記ポリマーの領域の上に、該ポリマーの領域の内部に、または該ポリマーの領域の下に提供される、項目１に記載の医療デバイス。
（項目２４）
上記治療剤が、抗増殖剤、血管細胞増殖促進剤、抗菌剤、鎮痛剤、免疫抑制剤、抗炎症剤、抗痙攣剤、α遮断剤、カルシウムチャンネル遮断剤、β作動薬、抗新生物剤（ｎｅｏｐｌａｓｔｉｃ  ａｇｅｎｔ）、細胞増殖抑制剤、およびこれらの組合せから選択される、項目２３に記載の医療デバイス。
（項目２５）
関節プロテーゼおよび組織を通過するデバイスから選択される、項目１に記載の医療デバイス。
（項目２６）
膝関節、腰関節、椎間板および脊髄核、血管グラフト、人工靭帯、および腹帯から選択される、項目１に記載の医療デバイス。
（項目２７）
組織を通過する上記デバイスが、針、縫合糸、ガイドワイヤー、カテーテル、バルーン、およびバルーンカテーテルから選択される、項目２５に記載の医療デバイス。
本発明の一態様によれば、少なくとも１つのブロックコポリマーを含有する、共有結合によって架橋された少なくとも１つのポリマーの領域を含有する、移植可能なまたは挿入可能な医療デバイスが提供される。この少なくとも１つのブロックコポリマーは、さらに少なくとも１つの低Ｔｇブロックおよび少なくとも１つの高Ｔｇブロックを含有する。